(57)【要約】【課題】手を汚さずにリヤカバーを持ち上げることのできるロータリー耕耘機を提供する。【解決手段】爪軸１７ａの周りに耕耘爪１７を回転させて耕作面Ｇの耕耘作業を行うとともにリヤカバー１９の整地部１９Ａにて耕耘爪１７で耕耘した耕耘土の整地作業を行うものであり、耕耘深さの調節を行うデプスビーム３１と、そのデプスビーム３１を昇降させるためのアジャストスクリュー（昇降手段）３０とを備え、リヤカバー１９の外側面に一端を取り付けるとともに他端をデプスビーム３１に取り付けるハンガーロッド（連結部）２６を備え、調整ハンドル（昇降手段）３２を操作してリヤカバー１９の整地部１９Ａを耕作面Ｇから持ち上げる。【選択図】図１
2006115735.tif 000002
【特許請求の範囲】
【請求項１】
爪軸の周りに耕耘爪を回転させて耕作面の耕耘作業を行うとともにリヤカバーの整地部にて前記耕耘爪で耕耘した耕耘土の整地作業を行うロータリー耕耘機であって、
耕耘深さの調節を行うデプスビームと、
該デプスビームを昇降させるための昇降手段とを備えるロータリー耕耘機において、
前記リヤカバーの外側面に一端を取り付けるとともに他端を前記デプスビームに取り付ける連結部を備え、
前記昇降手段を操作して前記リヤカバーの整地部を前記耕作面から持ち上げることを特徴とする、ロータリー耕耘機。
【請求項２】
前記連結部の一端が前記リヤカバーの外側面に取り外し自在に取り付けられていることを特徴とする、請求項１に記載のロータリー耕耘機。
【請求項３】
前記連結部の一端がかぎ状に形成され、該かぎ状部分に掛け止めるためのピンを前記リヤカバーの外側面に設けることを特徴とする、請求項２に記載のロータリー耕耘機。
【発明の詳細な説明】
【技術分野】
【０００１】
本発明は、爪軸の周りに耕耘爪を回転させて耕作面の耕耘作業を行うロータリー耕耘機に関する。
【背景技術】
【０００２】
従来のロータリー耕耘機は、図４，５に示すように、トラクタＴの後部に取り付けて爪軸１の周りに耕耘爪２を回転させて耕作面Ｃの耕耘作業を行うとともに、リヤカバー３を取り付けて、耕耘爪２で耕耘した耕耘土を整地部３ｂにて整地するものである。
ロータリー耕耘機４は、耕耘深さの調節を行うデプスビーム５と、そのデプスビーム５を昇降させるための昇降手段６などを備える。昇降手段６は、さらにアジャストスクリュー６ａとそのアジャストスクリュー６ａを伸縮操作させる調節ハンドル６ｂとを備える。また、リヤカバー３にはハンガーロッド７の一端が取り付けられている。ハンガーロッド７の他端は保持部材９を介してロータリー耕耘機４の本体に摺動自在に取り付けられている。
ハンガーロッド７の側面には、切り欠き７ａが設けられており、リヤカバー３の清掃時などには、リヤカバー３を支点３ａを回動中心として図４中、反時計回りに回動させて持ち上げ、切り欠き７ａにクイックハンガー８の先端部８ａを掛け止めて、リヤカバー３を持ち上げた状態に保持することができる。
【０００３】
なお、クイックハンガー８の先端部８ａは、保持部材９に設けられた貫通孔９ａを貫通して備える。先端部８ａおよび保持部材９は通常、鋼製であるので、先端部８ａと貫通孔９ａとの摩擦などによって貫通孔９ａの表面およびクイックハンガー８の先端部８ａの表面に傷がつき、その傷が錆びて先端部８ａと貫通孔９ａとの動作を悪くし、クイックハンガー８の操作性を悪くする原因となっている。このため、貫通孔９ａの周囲に樹脂ブッシュ９ｂなどを取り付けて、貫通孔９ａの錆を防止する方法もある。このようにするとクイックハンガー８の操作が軽快に行える。
【発明の開示】
【発明が解決しようとする課題】
【０００４】
リヤカバー３の清掃時などには、整地部３ｂを手で持ってリヤカバー３を支点３ａを中心として上方に回動させて持ち上げる。しかし、その際、整地部３ｂは耕作面Ｃに接触して耕耘爪２が耕耘した土を整地するので土が付着しており、作業者が手を汚してしまうという問題があった。
またリヤカバー３が重いため、作業者が高齢の場合には手で持ち上げるのに苦労するという問題もあった。
そこでこの発明の目的は、作業者が直に手を触れずにリヤカバーを持ち上げることのできるロータリー耕耘機を提供することにある。
【課題を解決するための手段】
【０００５】
このため請求項１に記載の発明は、爪軸の周りに耕耘爪を回転させて耕作面の耕耘作業を行うとともにリヤカバーの整地部にて前記耕耘爪で耕耘した耕耘土の整地作業を行うロータリー耕耘機であって、
耕耘深さの調節を行うデプスビームと、
該デプスビームを昇降させるための昇降手段とを備えるロータリー耕耘機において、
前記リヤカバーの外側面に一端を取り付けるとともに他端を前記デプスビームに取り付ける連結部を備え、
前記昇降手段を操作して前記リヤカバーの整地部を前記耕作面から持ち上げることを特徴とする。
【０００６】
請求項２に記載の発明は、請求項１に記載のロータリー耕耘機において、前記連結部の一端が前記リヤカバーの外側面に取り外し自在に取り付けられていることを特徴とする。
【０００７】
請求項３に記載の発明は、請求項２に記載のロータリー耕耘機において、前記連結部の一端がかぎ状に形成され、該かぎ状部分に掛け止めるためのピンを前記リヤカバーの外側面に設けることを特徴とする。
【発明の効果】
【０００８】
請求項１に記載の発明によれば、リヤカバーの外側面に一端を取り付けるとともに他端をデプスビームに取り付ける連結部を備え、デプスビームを昇降する昇降手段を操作してリヤカバーの整地部を耕作面から持ち上げるので、耕耘作業後の汚れたリヤカバーに直接手を触れずにリヤカバーを持ち上げることができる。また、重いリヤカバーを手で持ち上げる必要もなく、作業者の負荷を低減することができる。
したがって、作業者が直に手を触れずにリヤカバーを持ち上げることのできるロータリー耕耘機を提供することができる。
【０００９】
請求項２に記載の発明によれば、連結部の一端がリヤカバーの外側面に取り外し自在に取り付けられているので、連結部の一端をリヤカバーの外側面から外したときは、リヤカバーを昇降させることなく、デプスビームの昇降操作のみを行うことができる。
【００１０】
請求項３に記載の発明によれば、連結部の一端がかぎ状に形成され、そのかぎ状部分に掛け止めるためのピンをリヤカバーの外側面に設けるので、連結部をリヤカバーから容易に外すことができる。
【発明を実施するための最良の形態】
【００１１】
以下、図面を参照しつつ、この発明を実施するための最良の形態について詳述する。
図１はこの発明の一例としてのロータリー耕耘機１５の側面図である。
ロータリー耕耘機１５の前方にはトラクタ（自走式作業機）１０を連結している。トラクタ１０の後部には、トップリンク１１と左右一対のロワーリンク１２、およびＰＴＯ軸１３を延設する。トップリンク１１および左右一対のロワーリンク１２の先端には、ロータリー耕耘機１５を取り付ける。なお、ＰＴＯ軸１３にはユニバーサルジョイント１４を介して、ロータリー耕耘機１５のギアボックスを連結する。
【００１２】
このギアボックス内にて、ＰＴＯ軸の回転方向が変えられ、メインビームを介してチェーンケース１６内のチェーンに動力が伝達され、耕耘爪１７を取り付けた爪軸１７ａを回転させるようになっている。耕耘爪１７の回転する上方にはロータリーカバー１８を備え、そのロータリーカバー１８の後端にはリヤカバー１９が回動部２０を介して回動自在に連結されている。
ロータリーカバー１８は、ハンドル２５を回動操作することによって爪軸１７ａを中心に前後回動可能に構成されて、耕深に合わせて位置調整することができるようになっている。このハンドル２５に耕深ごとにデテント機構を設けると、所望の耕深を正確に位置あわせできる。また、デテント機構を設けるとトラクタ１０の運転席から後方に向いてハンドル２５を操作することができ、従来、作業者がトラクタ１０から降車してロータリーカバー１８上に取り付けられた位置合わせ用の銘板を見ながら行っていた耕深調整を効率的に行うことができる。
【００１３】
リヤカバー１９にはハンガーロッド２６の下端が軸支されている。一方、ハンガーロッド２６の上端はデプスビーム３１に固設された取付部２７にボルト２７ａを介して回動自在に取り付けられている。また、ハンガーロッド２６の連結部２６Ｊには後述するコイルバネが取りつけられ、リヤカバー１９を下方に付勢している。
【００１４】
また、ロータリー耕耘機１５のチェーンケース１６上部に設けられたＶ字状のアッパーアーム２９の一端には前述のトラクタ１０のトップリンク１１が取り付けられるとともに、アッパーアーム２９の別の一端にはアジャストスクリュー（昇降手段）３０が取り付けられている。このアジャストスクリュー３０の下端はデプスビーム３１にボルトを介して回動自在に取り付けられている。そして、調整ハンドル３２を操作することによってアジャストスクリュー３０が伸縮し、デプスビーム３１を不図示の回動支点を中心として矢印ａ−ｂ方向に回動させることができるようになっている。
【００１５】
さらに、リヤカバー１９の下部にはロータリー耕耘機１５の幅方向（すなわち爪軸１７ａの方向）に延びたタンク２１を備える。このタンク２１の側部には排水口（注入出口）２１ａを設けるとともに、上部には注入口（注入出口）２１ｂを設ける。このタンク２１には、水などの液体を注入口２１ｂより注入したり排水口２１ａより排出したりして、リヤカバー１９の重さを調節することが容易にできるようになっている。
なお、ロータリーカバー１８の後部にはサイドカバーを取り付けたり、リヤカバー１９の下部にはサイドアンダーカバーを取り付けたりしてもよい。
【００１６】
図２にハンガーロッド２６の連結部２６Ｊ付近の拡大図を示す。ハンガーロッド２６はともにパイプ状の上部ロッド２６Ａと下部ロッド２６Ｂとからなる。上部ロッド２６Ａの外径と下部ロッド２６Ｂの内径とは、上部ロッド２６Ａが下部ロッド２６Ｂに容易に入り込むことができるような関係となっている。
下部ロッド２６Ｂの下端はパイプをつぶして貫通孔を形成し、リヤカバー１９に形成された貫通孔と合わせた後、ボルト１９ａを貫通させて、下部ロッド２６Ｂをリヤカバー１９に回動自在に取り付ける。なお、下部ロッド２６Ｂの上部内側には上部ロッド２６Ａの下部が当接するコイルバネ（弾性部材）２６ｃを備え、下部ロッド２６Ｂを下方に付勢している。また、上部ロッド２６Ａの下部には長孔２６ａを形成するとともに、下部ロッド２６Ｂの上部には貫通孔２６ｂを形成し、両者にピンを貫通させて上部ロッド２６Ａと下部ロッド２６Ｂとを連結する。
【００１７】
これによって、下部ロッド２６Ｂは長孔２６ａの長軸方向に沿ってコイルバネ２６ｃに付勢されながら上下運動するように構成されている。したがって、コイルバネ２６ｃは耕作面Ｇの凹凸によるリヤカバー１９の上下動をこの連結部２６Ｊにて吸収するとともに、常にリヤカバー１９の整地面１９Ａを耕作面Ｇに当接させるように付勢している。
【００１８】
このように構成されたロータリー耕耘機のリヤカバーを持ち上げるときは、作業者は、トラクタ１０の運転席から後方にあるロータリー耕耘機１５の調整ハンドル３２を所望の方向に回転させる。すると、アジャストスクリュー３０が縮んでデプスビーム３１が不図示の回動支点を中心として図１中で矢印ａの方向に回動する。リヤカバー１９はハンガーロッド２６を介してデプスビーム３１に連結されているので、デプスビーム３１の回動にあわせて、回動部２０を支点として反時計回りに回動する。
そして、所望の角度までリヤカバー３０を回動したら調整ハンドル３２から手を離して回転操作を停止する。そして不図示のロック機構を用いて調整ハンドル３２の回転をロックする。
一方、リヤカバー１９を下げるときは、ロータリー耕耘機１５の調整ハンドル３２のロック機構を解除して調整ハンドル３２を所望の方向に回転させる。すると、アジャストスクリュー３０が伸びてデプスビーム３１が不図示の回動支点を中心として図１中で矢印ｂの方向に回動する。リヤカバー１９はハンガーロッド２６を介してデプスビーム３１に連結されているので、デプスビーム３１の回動にあわせて、回動部２０を支点として時計回りに回動する。
そして、所望の角度までリヤカバー３０を回動したら調整ハンドル３２から手を離して回転操作を停止する。
このように、この例のロータリー耕耘機では、リヤカバー１９の昇降はトラクタ１０の運転席から調整ハンドル３２を回転して操作することによって行うことができる。
【００１９】
このように、この例のロータリー耕耘機は、爪軸１７ａの周りに耕耘爪１７を回転させて耕作面Ｇの耕耘作業を行うとともにリヤカバー１９の整地部１９Ａにて耕耘爪１７で耕耘した耕耘土の整地作業を行うものであり、耕耘深さの調節を行うデプスビーム３１と、そのデプスビーム３１を昇降させるためのアジャストスクリュー（昇降手段）３０とを備え、リヤカバー１９の外側面に一端を取り付けるとともに他端をデプスビーム３１に取り付けるハンガーロッド（連結部）２６を備え、調整ハンドル（昇降手段）３２を操作してリヤカバー１９の整地部１９Ａを耕作面Ｇから持ち上げることができるものである。
また、ハンガーロッド２６にコイルバネ（弾性部材）２６ｃを備え、そのコイルバネ２６ｃによってリヤカバー１９が耕作面Ｇから受ける衝撃を緩和するようになっている。
したがって、リヤカバーを耕作面に確実に追随させることができ効率よく耕作面の整地ができるとともに、耕作面から受ける衝撃を弾性部材にて吸収してデプスビームに伝達することがなく、デプスビームに作業機などを取り付ける場合にも、その取付精度を低下させることがない。
さらに、リヤカバー１９にタンク２１を設け、そのタンク２１に水（液体）を注入する注入口（注入出口）２１ｂと排水する排水口（注入出口）２１ａとを設けるものである。
したがって、リヤカバーの自重を容易に変更することができ、所望の押し当て力で耕作面にリヤカバーを押し当てることができ、よりいっそうリヤカバーを耕作面に確実に追随させて効率よく耕作面の整地をすることができる。また、ロータリー耕耘機を移動する際には注入出口より液体を排出するので、リヤカバーを地面に引きずって傷つけることがない。また、液体として水を用いると廃液などが生じず、環境に配慮したロータロー作業機を提供することができる。さらに、重量調整の手段として液体を用いるので、従来用いてきた鋼製の錘を製造する必要がなく、低コストなロータリー耕耘機を提供することができる。
【００２０】
ところで、図３に示すようにハンガーロッド２８をパイプ状の上部ロッド２８Ａと下部ロッド２８Ｂとから構成してもよい。上部ロッド２８Ａの外径と下部ロッド２８Ｂの内径とは、下部ロッド２８Ｂが上部ロッド２８Ａに容易に入り込むことができるような関係となっている。
なお、上部ロッド２８Ａの下部内側には下部ロッド２８Ｂの上部が当接するコイルバネ（弾性部材）２８ｃを備え、下部ロッド２８Ｂを下方に付勢している。また、下部ロッド２８Ｂの上部には長孔２８ａを形成するとともに、上部ロッド２８Ａの下部には貫通孔２８ｂを形成し、両者にピンを貫通させて上部ロッド２８Ａと下部ロッド２８Ｂとを連結する。
【００２１】
これによって、下部ロッド２８Ｂは長孔２８ａの長軸方向に沿ってコイルバネ２８ｃに付勢されながら上下運動するように構成されている。したがって、コイルバネ２８ｃは耕作面Ｇの凹凸によるリヤカバー１９の上下動を吸収するとともに、常にリヤカバー１９の整地面１９Ａを耕作面Ｇに当接させるように付勢している。
一方、下部ロッド２８Ｂの下端はかぎ状に構成され、リヤカバー１９に設けられたピン１９ｂに掛け止めることができるようになっている。このようにすると、ハンガーロッド２８をリヤカバー１９から容易に外すことができる。
すなわち、下部ロッド（連結部）２８Ｂの下端（一端）がリヤカバー１９の外側面に取り外し自在に取り付けられている。この下部ロッド２８Ｂの下端がかぎ状に形成され、そのかぎ状部分に掛け止めるためのピン１９ａをリヤカバーの外側面に設ける。このとき、デプスビーム３１を回動させることによってかぎ状部分の引掛け位置の調整が容易となる。
なお、本発明は上述の例に限定されるものではなく、あらゆるロータリー耕耘機に適用しうるものである。
【図面の簡単な説明】
【００２２】
【図１】この発明のロータリー耕耘機の側面図である。
【図２】図１のロータリー耕耘機に備えるハンガーロッドの一部拡大図である。
【図３】ハンガーロッドの別の例を示す図である。
【図４】従来のロータリー耕耘機の側面図である。
【図５】図４のロータリー耕耘機に備えるクイックハンガーの拡大断面図である。
【符号の説明】
【００２３】
１０    トラクタ
１１    トップリンク
１２    ロワーリンク
１３    ＰＴＯ軸
１４    ユニバーサルジョイント
１５    ロータリー耕耘機
１６    チェーンケース
１７    耕耘爪
１７ａ    爪軸
１８    ロータリーカバー
１９    リヤカバー
１９Ａ    整地部
１９ａ，２７ａ    ボルト
１９ｂ    ピン
２０    回動部
２１    タンク
２１ａ    排水口（注入出口）
２１ｂ    注入口（注入出口）
２２    ギアボックス
２５    ハンドル
２６，２８    ハンガーロッド（連結部）
２６Ａ，２８Ａ    上部ロッド
２６Ｂ，２８Ｂ    下部ロッド
２６Ｊ    接続部
２６ａ，２８ａ    長孔
２６ｂ，２８ｂ    孔
２６ｃ，２８ｃ    コイルバネ（弾性部材）
２７    取付部
２９    アッパーアーム
３０    アジャストスクリュー（昇降手段）
３１    デプスビーム
３２    調整ハンドル（昇降手段）
Ｇ    耕作面
【図１】
2006115735.tif 000003
【図２】
2006115735.tif 000004
【図３】
2006115735.tif 000005
【図４】
2006115735.tif 000006
【図５】
2006115735.tif 000007